(57)【要約】【課題】従来の接触する側とされる側の双方を殺菌液で払拭し、接触感染の拡大を防止する方法は、双方の殺菌液による払拭を確実に実施なければ効果は少ないが、これらはなかなか困難である。【解決手段】この課題を解決するため、殺菌液貯留部と連続気泡を有する多孔質素材で不特定多数の人の手、素足、又は靴底等が接触する部位に対する殺菌用カバー又はマットを製作する。材質・形状・構造は、殺菌する対象物に応じたものとする。また、殺菌液の補給間隔を伸ばす場合は、外部に殺菌液貯留容器を設け殺菌液貯留部と接続すれば、殺菌液の補給作業が大幅に軽減される。【選択図】  図1
2011004873.tif 000002
【特許請求の範囲】
【請求項１】
殺菌液を吸蔵するとともに表面に殺菌液を滲出させるための連続気泡を持つ多孔質素材で殺菌対象物の該当部位の表面をカバーするとともに、殺菌液貯留部又は／及び殺菌液貯留用外部容器を備えた殺菌液浸出カバー又は殺菌液浸出マット。
【請求項２】
殺菌液貯留部より上方に倒立設置された殺菌液貯留用外部容器の注液ノズル又は注液ホースを殺菌液貯留部の所定高さに差し込み、殺菌液貯留部の液面が一定になるように補液する請求項1記載の殺菌液浸出カバー又は殺菌液浸出マット。
【請求項３】
殺菌液浸出カバー又は殺菌液浸出マットと殺菌液貯留用外部容器の殺菌液とを、連続気泡を持つ多孔質素材又は毛細管現象を示す素材の液浸透性素材で接続して殺菌液を移送する請求項1記載の殺菌液浸出カバー又は殺菌液浸出マット。
【発明の詳細な説明】
【技術分野】
【０００１】
本発明は、不特定多数の人の手、素足、又は靴底等が接触する部位からの感染拡大を防止するため、連続気泡を有する多孔質素材に吸蔵させた殺菌液を表面に滲出させることにより払拭しなくても長時間の表面殺菌が可能な殺菌液滲出カバー及びマットに関する。
【背景技術】
【０００２】
従来、不特定多数の人の手、素足、又は靴底が接触する部位からの感染拡大を防止する方法としては、接触する側と接触される側の双方の該当部位を殺菌液で払拭し殺菌することが基本である。その他の方法としては、接触される側の部位の表面に殺菌剤等を付着させる方法もある。
【先行技術文献】
【特許文献】
【０００３】
【特許文献１】特開2008-106398    除菌シート
【特許文献２】特開2008-127297    抗菌性成形体
【発明の概要】
【発明が解決しようとする課題】
【０００４】
従来の接触する側とされる側の双方を殺菌液で払拭する方法は、双方の殺菌液による払拭を確実に実施しなければ効果は少ないが、接触する側は不特定多数であるため確実性に欠け接触される側はせいぜい一日に数回となり、接触感染を完全防止することは、不可能である。また、接触される側の部位の表面に殺菌剤等を付着させる方法は、既存の部位に対応することは通常不可能であり、当初より付着させた殺菌材等も脱落等により長期の使用に耐えない欠点がある。
【課題を解決するための手段】
【０００５】
本発明は、上記のような課題に鑑みその課題を解決すべく創案されたものであって、殺菌液を長時間補給しなくても殺菌液をその表面に継続的に滲出させることにより表面殺菌が可能な殺菌液滲出カバー及びマットを提供するものである。
【０００６】
これらの課題を解決するための手段として、連続気泡を有する多孔質素材で不特定多数の人の手、素足、又は靴底等が接触する部位に対する殺菌用カバー又はマットを製作する。殺菌液を吸蔵し浸出させるための連続気泡を持つ多孔質であること以外は、殺菌用カバー又はマットの材質・形状・構造は、殺菌する部位に応じたものとする。また、殺菌液は連続気泡にのみ吸蔵させてもよいが、殺菌液の補給間隔を伸ばすためにカバー又はマットの一部に殺菌液貯留部を設けるか、又は/及び、外部に殺菌液貯留容器を設けカバー又はマットと接続し、殺菌液が連続気泡を経由してカバー又はマットの表面に浸出可能とする。
【発明の効果】
【０００７】
本発明によれば、殺菌液が常時カバー又はマットの表面に浸出するので、表面は常に殺  菌された状態となり、不特定多数の人が何時この部位に接触しても接触感染が拡大する  危険は非常に小さくなり、医療機関等の院内感染の拡大防止を始めとして社会的接触感  染の拡大防止に大きな効果がある。
【図面の簡単な説明】
【０００８】
【図１】殺菌液貯留容器5をカバーの上方に設置した場合の開閉ドアー1の取っ手2            に対する本発明の実施例1に示す殺菌液浸出カバー3の説明図(断面図)で            ある。
【図２】殺菌液貯留容器5をカバーの下方に設置した場合の開閉ドアー1の取っ手2          に対する本発明の実施例2に示す殺菌液浸出カバー3の説明図(断面図)であ          る。
【図３】殺菌液貯留容器5をカバーと同じ高さに設置した場合の廊下手すり8に対す          る本発明の実施例3に示す殺菌液浸出カバー3の説明図(断面図)である。
【発明を実施するための形態】
【０００９】
対処する施設・設備が既設か新設か、殺菌する部位の形態により形状等が異なるが、代表的事例を以下に示す、
【実施例１】
【００１０】
1)パイプ状又は角柱状物体に対する殺菌カバー（垂直設置カバーへの上方からの補液）
具体的な対象物としては、開閉ドアーの取っ手、シリンダー錠のノブ、廊下・階段の手  すり、公共交通機関の乗客の把持部、ショッピングカートの把持部、配膳カートの把持  部、娯楽施設の遊技機の把持部等、非常に多岐にわたる。これらに対する殺菌液浸出カ  バーの代表例として、開閉ドアー1の取っ手2に対する殺菌液浸出カバー3を以下に述  べる。殺菌液浸出カバー3は、対象部位を連続気泡と殺菌液貯留部31を持つ多孔質素材  でカバーする。殺菌液貯留部31には、注液口32と排液口33を設ける。これらの対象部位  の形状は一様な断面であることが多いので、カバーは押し出し成型品を所定寸法で切断  して製作した方がコスト上有利である。また、殺菌液6による対象部位の表面腐食を防  止するため、人体等との接触面以外は浸出防止用コート34ａ〜34ｃをするか表面の浸出  口を熱シールする。カバーの材質は、合成ゴム又は熱可塑性エラストマーとする。カバ  ーの断面は、新設用は対象物の外形を内部断面とするパイプ状又は角柱状とし、既設用  は新設用のカバーの断面の一箇所を切断した断面とし装着をし易くしてもよい。押し出  し成型品とした場合は、殺菌液貯留部31の上側開口部を注液口32とし、下側開口部を排  液口33とし、おのおのに注液口栓4ａ、排液口栓4ｂを装着する。また、注液ノズル52  ａを設けた透明な殺菌液貯留容器5を注液口32に自立倒立させて装着すれば、殺菌液貯  留部31の殺菌液6の液面が低下したとき自動的に一定液面まで注液される。さらに、透  明な殺菌液貯留容器5の内部の殺菌液残量でこれの交換時期の判別が容易になり、容器  交換作業も簡単になるので、補給管理作業が大幅に軽減される。注液ノズル52ａを注液  ホース52ｂとし、殺菌液貯留容器5を取っ手2近辺のドアー1の別の部位に倒立設置し  ても同じ効果が得られる。（図1  参照）
【実施例２】
【００１１】
2)パイプ状又は角柱状物体に対する殺菌カバー（垂直設置カバーへの下方からの補液）
また、殺菌液浸出カバー3と殺菌液貯留容器5の殺菌液6とを液浸透性素材7で接続  すれば、殺菌液貯留容器内の殺菌液6が殺菌液貯留部31に浸透力で移送されるので、殺  菌液貯留容器5はカバーの下方にも設置可能となる。押し出し成型品の場合は、液浸透  性素材7を殺菌液貯留部31に圧入すれば接触面が保たれ殺菌液の移送が確実になる。液  浸透性素材7は、連続気泡を有する多孔質素材又は毛細管現象を示す素材とする。また  、殺菌液貯留容器5を透明とし、ゴム栓51で殺菌液貯留容器5を保持すれば、上方設置  の場合と同様の効果が得られる。（図2  参照）
【実施例３】
【００１２】
3)パイプ状又は角柱状物体に対する殺菌カバー（水平設置カバーへの側方からの補液）
カバーが水平に設置される廊下手すり8に対するカバー等の場合は、注液口32がカバ  ーの側面となるので殺菌液貯留容器5をカバーと同じ高さか上方に設置し下記の殺菌液  補液方法とする。殺菌液貯留容器5に直接補液するときは、カバーの注液口32と殺菌液  貯留容器5の底部とを注液ホース52ｂで気密接続して液自重により補液する。（図3    参照）。殺菌液貯留容器5を交換して補液するときは、容器内部の殺菌液6の下部にカ  バーの注液口32に気密接続した注液ホース52ｂを挿入しサイホン効果により補液する。  殺菌液貯留容器5の底部に直接接続してもよいが、注液ホース52ｂを挿入する方が容器  の交換作業が簡略になる。
【実施例４】
【００１３】
4)平面状物体に対する殺菌カバー
具体的な対象物としては、スィング式開閉ドアーの押圧操作面、不特定多数者が利用す  るカウンター・デスク・テーブル、自動ドアーやエレベーターのタッチパネル等の電気  的信号発生部等、多岐にわたる。これらに対する殺菌液浸出カバーは、対象部位の上面  を連続気泡と殺菌液貯留部を持つ多孔質素材でカバーする。形状が平面状で、対象物の  片面のみをカバーすること以外は、注液口、排液口、カバーの材質、浸出防止用コート  、殺菌液の補給方法等は、前項のカバーと同様である。殺菌液の補給方法は、カバーが  垂直に設置される場合は前記の実施例1又は2、カバーが水平に設置される場合は前記  の実施例3と同様な方法となる。また、このカバーについても、前項のカバーと同様に  極力押し出し成型品を所定寸法で切断したものを利用する方がよい。水平設置以外の既  設用カバーは、取り付けビス穴を設けるか又はカバー裏面に接着剤を塗布し、装着をし  易くする。
【実施例５】
【００１４】
5)床面に対する殺菌マット
具体的な対象物としては、公衆浴場やスイミングスクールの室内床面、不特定多数者が  利用する施設の出入り口床面等、多岐にわたる。これらに対する殺菌液浸出マットの構  造、材質、殺菌液の補給方法は、平面状物体に対する水平設置タイプの殺菌カバーと基  本的に同じである。さらに、新設用の場合は、素材を素焼き陶器等の多孔質焼結体とし  、床面に組み込むことも出来る。
【符号の説明】
【００１５】
1開閉ドアー
2開閉ドアーの取っ手
3殺菌液浸出カバー（多孔質合成ゴム）
31  殺菌液浸出カバーの殺菌液貯留部
32  殺菌液浸出カバーの注液口
33  殺菌液浸出カバーの排液口
34ａ〜34ｃ  殺菌液浸出カバーの浸出防止コート面
4ａ      注液口栓
4ｂ      排液口栓
5        透明な殺菌液貯留容器
51殺菌液貯留容器のゴム栓
52ａ        殺菌液貯留容器の注液ノズル
52ｂ        殺菌液貯留容器の注液ホース
6        殺菌液
7液浸透性素材
8廊下の手すり
【図１】
2011004873.tif 000003
【図２】
2011004873.tif 000004
【図３】
2011004873.tif 000005
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
殺菌液貯留部を内部に持ち、殺菌液を吸蔵するとともに表面に殺菌液を滲出させるための連続気泡を持つ多孔質素材で殺菌対象物の該当部位の表面をカバーする殺菌液滲出カバー又は殺菌液滲出マット。
【請求項２】
前記の多孔質素材を押し出し成型することを特徴とする請求項1記載の殺菌液滲出カバー又は殺菌液滲出マット。
【請求項３】
表面の一部を殺菌液が滲出しないように滲出防止用コート、又は、熱シールした請求項1、又は、2記載の殺菌液滲出カバー又は殺菌液滲出マット。
【請求項４】
多孔質素材を素焼き陶器等の多孔質焼結体とした請求項1、2、又は、3のいずれかに記載の殺菌液滲出カバー又は殺菌液滲出マット。
【手続補正２】
【補正対象書類名】明細書
【補正対象項目名】全文
【補正方法】変更
【補正の内容】
【発明の詳細な説明】
【技術分野】
【０００１】
本発明は、不特定多数の人の手、素足、又は靴底等が接触する部位からの感染拡大を防止するため、連続気泡を有する多孔質素材に吸蔵させた殺菌液を表面に滲出させることにより払拭しなくても長時間の表面殺菌が可能な殺菌液滲出カバー及びマットに関する。
【背景技術】
【０００２】
従来、不特定多数の人の手、素足、又は靴底が接触する部位からの感染拡大を防止する方法としては、接触する側と接触される側の双方の該当部位を殺菌液で払拭し殺菌することが基本である。その他の方法としては、接触される側の部位の表面に殺菌剤等を付着させる方法もある。
【先行技術文献】
【特許文献】
【０００３】
【特許文献１】特開2008-106398    除菌シート
【特許文献２】特開2008-127297    抗菌性成形体
【発明の概要】
【発明が解決しようとする課題】
【０００４】
従来の接触する側とされる側の双方を殺菌液で払拭する方法は、双方の殺菌液による払拭を確実に実施しなければ効果は少ないが、接触する側は不特定多数であるため確実性に欠け接触される側はせいぜい一日に数回となり、接触感染を完全防止することは、不可能である。また、接触される側の部位の表面に殺菌剤等を付着させる方法は、既存の部位に対応することは通常不可能であり、当初より付着させた殺菌材等も脱落等により長期の使用に耐えない欠点がある。
【課題を解決するための手段】
【０００５】
本発明は、上記のような課題に鑑みその課題を解決すべく創案されたものであって、殺菌液を長時間補給しなくても殺菌液をその表面に継続的に滲出させることにより表面殺菌が可能な殺菌液滲出カバー及びマットを提供するものである。
【０００６】
これらの課題を解決するための手段として、殺菌液貯留部と連続気泡とを有する多孔質素材で不特定多数の人の手、素足、又は靴底等が接触する部位に対する殺菌用カバー又はマットを製作する。殺菌用カバー又はマットの材質・形状・構造は、殺菌する部位に応じたものとする。また、殺菌液の補給間隔を伸ばす場合は外部に殺菌液貯留容器を設けカバー又はマットの殺菌液貯留部と接続し、殺菌液が連続気泡を経由してカバー又はマットの表面に浸出可能とする。
【発明の効果】
【０００７】
本発明によれば、殺菌液が常時カバー又はマットの表面に滲出するので、表面は常に殺菌された状態となり、不特定多数の人が何時この部位に接触しても接触感染が拡大する危険は非常に小さくなり、医療機関等の院内感染の拡大防止を始めとして社会的接触感染の拡大防止に大きな効果がある。
【図面の簡単な説明】
【０００８】
【図１】殺菌液貯留容器5をカバーの上方に設置した場合の開閉ドアー1の取っ手2に対する本発明の実施例1に示す殺菌液滲出カバー3の説明図(断面図)である。
【図２】殺菌液貯留容器5をカバーの下方に設置した場合の開閉ドアー1の取っ手2に対する本発明の実施例2に示す殺菌液滲出カバー3の説明図(断面図)である。
【図３】殺菌液貯留容器5をカバーと同じ高さに設置した場合の廊下手すり8に対する本発明の実施例3に示す殺菌液滲出カバー3の説明図(断面図)である。
【発明を実施するための形態】
【０００９】
対処する施設・設備、殺菌する部位の形態により形状等が異なるが、代表的事例を以下に示す。
【実施例１】
【００１０】
・  パイプ状又は角柱状物体に対する殺菌カバー（垂直設置カバーへの上方からの補液）
パイプ状又は角柱状物体の具体的な対象物としては、開閉ドアーの取っ手、シリンダー錠のノブ、廊下・階段の手すり、公共交通機関の乗客の把持部、ショッピングカートの把持部、配膳カートの把持部、娯楽施設の遊技機の把持部等、非常に多岐にわたる。これらに対する殺菌液滲出カバーのうち殺菌液貯留部が垂直となる代表例として、開閉ドアー1の取っ手2に対する殺菌液浸出カバー3を以下に述べる。殺菌液滲出カバー3は、対象部位を連続気泡と殺菌液貯留部31を持つ多孔質素材でカバーする。殺菌液貯留部31には、注液口32と排液口33を設ける。これらの対象部位の形状は一様な断面であることが多いので、カバーは押し出し成型品を所定寸法で切断して製作した方がコスト上有利である。また、殺菌液6による対象部位の表面腐食を防止するため、人体等との接触面以外は滲出防止用コート34ａ〜34ｃをするか表面の滲出口を熱シールする。カバーの材質は、合成ゴム又は熱可塑性エラストマーとする。カバーの断面は、対象物の外形を内部断面とするパイプ状又は角柱状とし、更にカバーの断面の一箇所を切断した断面として装着をし易くしてもよい。押し出し成型品とした場合は、殺菌液貯留部31の上側開口部を注液口32とし、下側開口部を排液口33とし、おのおのに注液口栓4ａ、排液口栓4ｂを装着する。また、注液ノズル52ａを設けた透明な殺菌液貯留容器5を注液口32に自立倒立させて装着すれば、殺菌液貯留部31の殺菌液6の液面が低下したとき自動的に一定液面まで注液される。さらに、透明な殺菌液貯留容器5の内部の殺菌液残量でこれの交換時期の判別が容易になり、容器交換作業も簡単になるので、補給管理作業が大幅に軽減される。注液ノズル52ａを注液ホース52ｂとし、殺菌液貯留容器5を取っ手2近辺のドアー1の別の部位に倒立設置しても同じ効果が得られる。（図1  参照）
【実施例２】
【００１１】
・  パイプ状又は角柱状物体に対する殺菌カバー（垂直設置カバーへの下方からの補液）
殺菌液滲出カバー3と殺菌液貯留容器5の殺菌液6とを液浸透性素材7で接続すれば、殺菌液貯留容器内の殺菌液6が殺菌液貯留部31に浸透力で移送されるので、殺菌液貯留容器5はカバーの下方にも設置可能となる。押し出し成型品の場合は、液浸透性素材7を殺菌液貯留部31に圧入すれば接触面が保たれ殺菌液の移送が確実になる。液浸透性素材7は、連続気泡を有する多孔質素材又は毛細管現象を示す素材とする。また、殺菌液貯留容器5を透明とし、ゴム栓51で殺菌液貯留容器5を保持すれば、上方設置の場合と同様の効果が得られる。（図2  参照）
【実施例３】
【００１２】
・  パイプ状又は角柱状物体に対する殺菌カバー（水平設置カバーへの側方からの補液）
カバーが水平に設置される廊下手すり8に対するカバー等の場合は、殺菌液貯留部が水平となり注液口32がカバーの側面となるので殺菌液貯留容器5をカバーと同じ高さか上方に設置し下記の殺菌液補液方法とする。殺菌液貯留容器5に直接補液するときは、カバーの注液口32と殺菌液貯留容器5の底部とを注液ホース52ｂで気密接続して液自重により補液する。（図3  参照）。殺菌液貯留容器5を交換して補液するときは、容器内部の殺菌液6の下部にカバーの注液口32に気密接続した注液ホース52ｂを挿入しサイホン効果により補液する。殺菌液貯留容器5の底部に直接接続してもよいが、注液ホース52ｂを挿入する方が容器の交換作業が簡略になる。
【実施例４】
【００１３】
・  平面状物体に対する殺菌カバー
具体的な対象物としては、スィング式開閉ドアーの押圧操作面、不特定多数者が利用するカウンター・デスク・テーブル等、多岐にわたる。これらに対する殺菌液滲出カバーは、対象部位の上面を連続気泡と殺菌液貯留部を持つ多孔質素材でカバーする。形状が平面状で、対象物の片面のみをカバーすること以外は、注液口、排液口、カバーの材質、浸出防止用コート、殺菌液の補給方法等は、前項のカバーと同様である。殺菌液の補給方法は、カバーが垂直に設置される場合は前記の実施例1又は2、カバーが水平に設置される場合は前記の実施例3と同様な方法となる。また、このカバーについても、前項のカバーと同様に極力押し出し成型品を所定寸法で切断したものを利用する方がよい。水平設置以外の既設用カバーは、取り付けビス穴を設けるか又はカバー裏面に接着剤を塗布し、装着をし易くする。
【実施例５】
【００１４】
・  床面に対する殺菌マット
具体的な対象物としては、公衆浴場やスイミングスクールの室内床面、不特定多数者が利用する施設の出入り口床面等、多岐にわたる。これらに対する殺菌液滲出マットの構造、材質、殺菌液の補給方法は、平面状物体に対する水平設置タイプの殺菌カバーと基本的に同じである。さらに、素材を素焼き陶器等の多孔質焼結体とし、床面に組み込むことも出来る。
【符号の説明】
【００１５】
・  開閉ドアー  
・  開閉ドアーの取っ手
・  殺菌液滲出カバー（多孔質合成ゴム）
・    殺菌液滲出カバーの殺菌液貯留部
・    殺菌液滲出カバーの注液口
・    殺菌液滲出カバーの排液口
34ａ〜34ｃ  殺菌液滲出カバーの滲出防止コート面
4ａ      注液口栓
4ｂ      排液口栓
5        透明な殺菌液貯留容器
・  殺菌液貯留容器のゴム栓
52ａ        殺菌液貯留容器の注液ノズル
52ｂ        殺菌液貯留容器の注液ホース
6        殺菌液
・  液浸透性素材
・  廊下の手すり